(57)【要約】【課題】  コンタクトガラス面へ蓄積された静電気により、原稿とコンタクトガラス間に吸引力（吸着力）が働いた場合でも、コンタクトガラスの凹凸状の粗面に規制され原稿がコンタクトガラス面へ付着しにくい原稿移動型画像読取り装置を提供する。【解決手段】  原稿を移動させて、その画像を読み取る原稿移動型画像読取り装置において、第２読取り手段３’の原稿搬送面上へ配置したコンタクトガラス４の原稿の読取り範囲を透明ガラス４ａで構成し、読取り範囲以外の原稿搬送面の一部または全部を凹凸状の粗し面とした。【選択図】  図２
2006201310.tif 000002
【特許請求の範囲】
【請求項１】
コンタクトガラス面に沿って原稿を移動させる原稿搬送手段と、コンタクトガラス面の反対側に配置された読取り部と、を備えた画像読取り装置において、
前記読取り部による読取り範囲内に属するコンタクトガラス面を透明ガラスにて構成し、前記読取り範囲外のコンタクトガラス面の少なくとも一部を凹凸状の粗し面としたことを特徴とする画像読取り装置。
【請求項２】
上記コンタクトガラス粗し面を、擦りガラスにて構成したことを特徴する請求項１記載の画像読取り装置。
【請求項３】
請求項１、又は２に記載のコンタクトガラスの前記読取り範囲をマスキングした状態で、該読取り範囲以外のコンタクトガラス面をブラスト処理によって前記粗し面としたことを特徴するコンタクトガラスの製造方法。
【請求項４】
前記コンタクトガラス上の読取り範囲を透明ガラスブロックで構成し、読取り範囲以外のコンタクトガラス上の原稿搬送面を擦りガラスブロックで構成し、前記読取り部の配置に合わせて各ガラスブロックを組み合わせて配置したことを特徴する請求項１、又は２に記載の画像読取り装置。
【請求項５】
前記複数個のガラスブロック間の端縁のうち、副走査方向の端面を面取りしたことを特徴とする請求項４記載の画像読取り装置。
【請求項６】
請求項１、２、４、又は５の何れか一項に記載の画像読取り装置を備えたことを特徴とする画像形成装置。
【発明の詳細な説明】
【技術分野】
【０００１】
本発明は、被写体が移動するタイプの読取り装置、すなわち原稿移動型の読取り装置及びこれに使用するコンタクトガラスの製造方法に関するものである。
【背景技術】
【０００２】
従来の画像読取り装置として、密着型イメージセンサが主走査方向に複数個千鳥状に配列される基台と、密着型イメージセンサと対向するコンタクトガラスと、コンタクトガラスの反対側面に沿って原稿を搬送する原稿搬送手段と、を備え、基台に設けた密着型イメージセンサにより、副走査方向へ移動する原稿上の画像を順次読み取るように構成したものが一般である。
例えば、特許文献１には、コンタクトガラスの上部平面と同一平面となる平面部と、コンタクトガラス支持部材に当接する側面部を有するガイド部材を、コンタクトガラスと原稿搬送部の間に位置付けられるように装置の本体フレームに固定することによって、高い取り付け精度を必要とされることなく組み立てることができ、円滑な原稿搬送を行うことができるようにした画像読取装置が開示されている。
【特許文献１】特開２００３−１８３６２公報
【発明の開示】
【発明が解決しようとする課題】
【０００３】
しかしながら、上述した従来の読取り方式は密着型イメージセンサが主走査方向に複数個千鳥状に配列されることにより、コンタクトガラス面に沿って副走査方向へ移動する原稿を読取る範囲が大きくなる。このため、比較的平滑性の良い光沢原稿またはフィルム原稿を使用した場合は、原稿が静電気のためコンタクトガラスに吸着し、走行不良となる不具合が発生する。
前記走行不良の発生原因は、原稿の走行中に原稿とコンタクトガラス間の摩擦によって生じる静電気の逃げ場が無く、静電気がコンタクトガラス面へ蓄積されるため、原稿とコンタクトガラス間に吸引力（吸着力）が働き、原稿がコンタクトガラス間の吸引力（吸着力）によりコンタクトガラス面へ付着するため、原稿が円滑に送れなくなることにある。
そこで、本発明の目的は、上述した実情を考慮して、コンタクトガラス面へ蓄積された静電気により、原稿とコンタクトガラス間に吸引力（吸着力）が働いた場合でも、コンタクトガラスの凹凸状の粗面に規制され原稿がコンタクトガラス面へ付着しにくい原稿移動型画像読取り装置を提供することにある。
また、本発明の他の目的は、第２の読取り手段の原稿搬送面上へ配置したコンタクトガラスの原稿の読取り範囲を透明ガラスで構成し、読取り範囲以外の原稿搬送面の一部または全部を原稿搬送上による原稿のキズ、破損等の影響がない範囲での凹凸状の粗面とすることにより、コンタクトガラス上の任意の位置に凹凸状の粗し面を形成可能なコンタクトガラスの製造方法を提供することにある。
【課題を解決するための手段】
【０００４】
上記の課題を解決するために、請求項１に記載の発明は、原稿を移動させて、その画像を読み取る原稿移動型画像読取り装置において、第２の読取り手段の原稿搬送面上へ配置したコンタクトガラスの原稿の読取り範囲を透明ガラスで構成し、読取り範囲以外の原稿搬送面の一部または全部を凹凸状の粗し面とした原稿移動型画像読取り装置を特徴とする。
また、請求項２に記載の発明は、前記コンタクトガラスの原稿の読取り範囲を透明ガラスで構成し、読取り範囲以外の前記コンタクトガラス上の原稿搬送面が凹凸状の粗し面からなる擦りガラスである請求項１記載の原稿移動型画像読取り装置を特徴とする。
また、請求項３に記載の発明は、第２の読取り手段の原稿搬送面上へ配置した透明ガラスで構成したコンタクトガラス上の読取り範囲をマスキングし、読取り範囲以外の前記コンタクトガラス上の原稿搬送面をブラスト処理により凹凸状の粗し面としたコンタクトガラスの製造方法を特徴とする。
また、請求項４に記載の発明は、前記コンタクトガラス上の読取り範囲を透明ガラスで構成し、読取り範囲以外のコンタクトガラス上の原稿搬送面を擦りガラスで構成し、前記第１及び第２の読取り手段の配置に合わせて複数個のコンタクトガラスを前記読取り範囲か、読取り範囲以外かにより組み合わせて配置した請求項１記載の原稿移動型画像読取り装置を特徴とする。
また、請求項５に記載の発明は、複数個のコンタクトガラスを組み合わせて配置したコンタクトガラスの原稿搬送面の副走査方向の端面を面取りした請求項４記載の原稿移動型画像読取り装置を特徴とする。
また、請求項６に記載の発明は、請求項１、２、４、又は５の何れか一項に記載の画像読取り装置を備えた画像形成装置であることを特徴とする。
【発明の効果】
【０００５】
本発明によれば、密着型イメージセンサが主走査方向に複数個千鳥状に配列されることにより、コンタクトガラスの副走査方向の読取り面積が大きい読取り手段の原稿搬送面上へ配置したコンタクトガラスの原稿の読取り範囲を透明ガラスで構成し、読取り範囲以外の原稿搬送面の一部または全部を凹凸状の粗し面としたことにより、比較的平滑性の良い光沢原稿またはフィルム原稿を使用した場合に発生する原稿のコンタクトガラス面への付着、及び走行不良による原稿の読取り時の搬送速度の変動が解消されるためにコピー画像品質が向上する。
【発明を実施するための最良の形態】
【０００６】
以下、図面を参照して、本発明の実施の形態を詳細に説明する。図１は本実施の形態に係る画像読取り装置を示す概略側面である。図２は図１の画像読取り装置の概略上面図である。
原稿挿入口から挿入された原稿１１は、第１搬送ローラ対（原稿搬送手段）１、１’によって、コンタクトガラス４と、コンタクトガラス４の上面に位置する圧板１３との間に搬送される。コンタクトガラス４の下部にはこのコンタクトガラス４が置載される箱型断面のベース部材８と、このベース部材８内に平面形状が複数千鳥状に配列された第１読取りセンサ３、第２読取りセンサ３’が配置される。第１及び第２読取りセンサ３、３’は読取り部を構成している。
読取りセンサ３、３’としてはどのような読取り手段であってもよいが、例えば密着型イメージセンサを主走査方向に複数個千鳥状に配列した構成、光源、ミラー、ＣＣＤ等からなる読取り手段等を適用することができる。
読取り部へ搬送された原稿１１の画像は搬送方向上流側の第１読取りセンサ３、下流側の第２読取りセンサ３’により順次読み取られコンタクトガラス４の下流側に設けられた第２搬送ローラ対２、２’へ原稿が送り込まれ、排出される。
次に、第１読取りセンサ３で分割読取りされた画像データは、図示しないＡ／Ｄ変換回路でデジタル信号（２５６階調）に変換され、次の遅延回路により所定時間だけ一時的にメモリ（図示せず）内へ格納される。
その後、第２読取りセンサ３’により読み取った画像データが入力され（第１読取りからＴ時間後）、読取り画像は１ラインに合成され、画像処理回路（図示せず）で処理される。
次に、読取り装置に用いられる搬送ロ−ラ対（原稿搬送手段）１、２は、振れが有ると搬送速度が変動（径φ３０ｍｍでは振れ０．０５、第１及び第２読取りセンサ３、３’の副走査方向間隔Ｌ：３０ｍｍとすると、搬送速度の変動は約０．１７％）し、ズレ量が約５０μｍとなり６００ｄｐｉ（１ドット４２．３μｍ）の解像度で読み取った場合、１ライン強のズレとなるため振れ精度の高い搬送ロ−ラ対１、２を使用している。
【０００７】
本発明は、コンタクトガラス面に沿って原稿を移動させる原稿搬送手段１、２と、コンタクトガラス面の反対側に配置された読取り部３、３’と、を備えた画像読取り装置において、読取り部による読取り範囲内に属するコンタクトガラス面を透明ガラスにて構成し、前記読取り範囲外のコンタクトガラス面の少なくとも一部を凹凸状の粗し面とした構成が特徴的である。
即ち、第１読取りセンサ３、第２読取りセンサ３’の原稿搬送面上へ配置したコンタクトガラス４は第１読取りセンサ３、第２読取りセンサ３’の原稿読取り範囲を透明ガラスで構成し、読取り範囲以外の原稿搬送面を凹凸状の粗し面により構成されている。
このため、第１搬送ローラ対１、１’によってコンタクトガラス４と圧板１３との間に搬送された原稿１１は、仮に帯電していたとしても、コンタクトガラス４面に貼り付くことなく、第１搬送ローラ対１、１’の回転速度により決定された搬送速度によりコンタクトガラス４面を安定して搬送されながら第１読取りセンサ３と第２読取りセンサ３’により画像が読み取られる。
次に、第２搬送ローラ対２、２’へ原稿１１の先端が送り込まれる。第２搬送ローラ対２、２’は外形を第１搬送ローラ対１、１’の径より若干大きくして第２搬送ローラ対２、２’の引っ張り効果により原稿１１が搬送されるときにシワが発生しないように設定しているため、原稿面が常に張られた状態で搬送される。
原稿１１が第２搬送ローラ対２、２’にくわえ込まれるまでは径の小さい第１搬送ローラ対１、１’のみで原稿１１が搬送されるので、原稿１１が第２搬送ローラ対２、２’にくわえ込まれた後の搬送速度より遅くなる。
しかしながら、原稿１１が第２搬送ローラ対２、２’にくわえ込まれるまでの距離の原稿先端の僅かな区間以外は第２搬送ローラ対２、２’による搬送速度で搬送される。
このため、第２搬送ローラ対２、２’による搬送速度に合わせて第１読取りセンサ３で読み取った画像デ−タと第２読取りセンサ３’読み取った画像とを合成するように、原稿１１が第１ペーパ検知センサ２１で検知される。
搬送ローラ対１、２の回転を開始して、第２ペーパ検知センサ２２で原稿先端が検知され、第２搬送ローラ対２、２’に原稿１１がくわえ込まれるまでの間は第２搬送ローラ対２、２’による搬送速度と同じになるように増速（例では０．１７％増速）して搬送させることにより原稿１１の搬送速度が常に一定になる。
【０００８】
第２の実施の形態を図１に基づいて説明する。図において、本実施の形態のコンタクトガラス４にあっては、第１読取りセンサ３、第２読取りセンサ３’の直上に位置するコンタクトガラス部分（各読取りセンサによる原稿読取り範囲）を透明ガラスで構成する。読取り範囲以外の原稿搬送面（コンタクトガラス面）は凹凸状（例えば微小凹凸状）の粗し面とするために読取り範囲以外の原稿搬送面は擦りガラスを使用する。
コンタクトガラス４の読取り範囲を透明ガラスで構成し、読取り範囲以外のコンタクトガラス上の原稿搬送面は凹凸状の粗し面を擦りガラスとすることにより、凹凸状の粗し面がＩＴＯ膜をコーティングするプロセスよりも簡単なプロセスで形成でき、かつ、より安価なコンタクトガラスを提供する。
それにより、比較的平滑性の良い光沢原稿またはフィルム原稿を使用した場合に発生する原稿のコンタクトガラス４面への付着及び、走行不良が解消された高コピー品質画像が比較的低コストで可能となる。
【０００９】
図３は読取り範囲以外のコンタクトガラス上の原稿搬送面のブラスト処理を説明する概略斜視図である。図３において、透明ガラスで構成したコンタクトガラス４上の読取り範囲をマスキングし、読取り範囲以外のコンタクトガラス４上の原稿搬送面をブラスト装置６でブラスト処理する。
これにより比較的低コストで凹凸状の粗し面がコンタクトガラス４上の任意の位置に形成可能となる。
図３において、本実施の形態のコンタクトガラス４の原稿読取り範囲を透明ガラスで構成し、読取り範囲以外の原稿搬送面を凹凸状の粗し面とするために、透明ガラスで構成したコンタクトガラス４の原稿搬送面の読取り範囲をマスキングし、読取り範囲以外のコンタクトガラス４上の原稿搬送面をブラスト処理により製造が可能である。
【００１０】
図４は読取り範囲以外のコンタクトガラス上の原稿搬送面を擦りガラスのブロックにより構成することをＡ点の部分断面図とともに示す斜視図である。図４において、コンタクトガラス４上の読取り範囲を透明ガラス（透明ガラスブロック）４ａで構成し、読取り範囲以外のコンタクトガラス４上の原稿搬送面を擦りガラス（擦りガラスブロック）４ｂで構成する。
第１及び第２読取り手段３、３’の配置とその読取り範囲に合わせて複数個のコンタクトガラス４を読取り範囲か、読取り範囲以外かにより組み合わせて配置している。これによって、原稿の貼り付きに対して一体のコンタクトガラスへ粗し面を設けた場合と同様の機能が得られる。
複数個のコンタクトガラスを組み合わせて配置したコンタクトガラス４の原稿搬送面の副走査方向の端縁、角部等搬送の障害となる部分を面取りする（Ｒ状、或いは傾斜面とする）ことにより、コンタクトガラスの小サイズブロック化によりブロック間の繋ぎ目における原稿先端の引っ掛かりが解消でき、原稿の搬送不良の課題を解決した安価なコンタクトガラスを提供する。
また、コンタクトガラス４上の読取り範囲を透明ガラスのブロックで構成し、読取り範囲以外のコンタクトガラス４上の原稿搬送面を擦りガラスのブロックにより構成してもよい。
第１及び第２の読取り手段３、３’の配置に合わせて複数個のコンタクトガラス４のブロックを上記読取り範囲か、読取り範囲以外かにより組み合わせて配置する。この場合に複数のコンタクトガラスブロックの繋ぎ目となる副走査方向の端面を面取りして段差や引っかかりを解消することにより原稿搬送時の原稿先端の引っかかりが防止できる。
本発明の画像読取り装置は、複写機、プリンタ、ファクシミリ装置等の電子写真式画像形成装置の読取り装置として適用することができる。
【図面の簡単な説明】
【００１１】
【図１】本実施の形態の画像読取り装置を示す概略側面図である。
【図２】図１の画像読取り装置の概略上面図である。
【図３】読取り範囲以外のコンタクトガラス上の原稿搬送面のブラスト処理を説明する概略斜視図である。
【図４】読取り範囲以外のコンタクトガラス上の原稿搬送面を擦りガラスのブロックにより構成することをＡ点の部分断面図とともに示す斜視図である。
【符号の説明】
【００１２】
１    第１搬送ローラ対（上ローラ）
１’  第１搬送ローラ対（下ローラ）
２    第２搬送ローラ対（上ローラ）
２’  第２搬送ローラ対（下ローラ）
３    第１読取り手段
３’  第２読取り手段
４    コンタクトガラス
４ａ  透明ガラス
４ｂ  擦りガラス
１１    原稿
【図１】
2006201310.tif 000003
【図２】
2006201310.tif 000004
【図３】
2006201310.tif 000005
【図４】
2006201310.tif 000006